(57)【要約】  本発明は、危険人物と対面した際に使用者が防犯センターに現在の危険に対する助けを要請するために、密かに画像入力装置を利用して危険人物の画像または音声を入力し、入力された画像及び／または音声データを使用者の現在の位置データとともに保安システムに伝送できる通信網を利用した危急状況通知システム及び方法に関するものであり、警報ボタンの操作が困難な状況や移動中の場合にも保安システムに危険を知らせることができ、場所を制限することなく画像入力装置を操作可能となる。
2005509225.tif 000002
【特許請求の範囲】
【請求項１】
運転者の画像入力要請に応答して、侵入者と周囲状況とを含む画像データを入力する段階と、
前記画像データをあらかじめ指定された画像変換方式に従って変換する段階と、
前記画像データを保安システムに伝送する段階と
を含むことを特徴とする通信網を利用した危急状況通知方法。
【請求項２】
前記画像データを保安システムに伝送する段階は、
前記画像データを有線通信網または移動通信システムを利用して携帯用端末機に伝送する段階を含み、
前記携帯用端末機が前記画像データを移動通信システムに伝送し、
前記携帯用端末機は、移動通信端末機、パーソナル・コンピュータ、及びPDA （パーソナル・デジタル・アシスタント）のうちのいずれか一つであることを特徴とする、請求項１に記載の方法。
【請求項３】
前記方法は、
使用者から画像入力部の角度の変更のための画像角度変更命令が入力されたか否かを判断する段階と、
前記画像角度変更命令が入力された場合に、前記画像入力部の角度を変更する段階と、
前記変更された角度に対応する画像データを入力する段階とをさらに含み、
前記画像角度変更命令は、携帯用端末機のキーボタンを利用して入力されることを特徴とする、請求項１に記載の方法。
【請求項４】
前記方法は、
前記保安システムまたは移動通信システムから画像入力部の角度の変更のための画像角度変更命令が受信されたか否かを判断する段階と、
前記画像角度変更命令が受信された場合に、前記画像入力部の角度を変更する段階と、
前記変更された角度に対応する画像データを入力する段階とをさらに含み、
前記画像角度変更命令は、携帯用端末機のキーボタンを利用して入力されることを特徴とする、請求項１に記載の方法。
【請求項５】
前記方法は、
使用者により音声データ入力要請が入力された場合に、侵入者の音声及び周囲の音を含む音声データを入力する段階と、
前記音声データをあらかじめ指定された音声変換方式に従って変換する段階と、
前記音声データを保安システムに伝送する段階と
をさらに含むことを特徴とする、請求項１に記載の方法。
【請求項６】
前記方法は、
前記保安システムまたは移動通信システムから音声データが受信されたか否かを判断する段階と、
前記音声データが受信された場合に、前記音声データを音声入出力部を介して出力する段階と
をさらに含むことを特徴とする、請求項１に記載の方法。
【請求項７】
前記方法は、
GPS 衛星から地理情報を受信する段階と、
前記地理情報を利用して現在位置を判断する段階と、
前記現在位置をあらかじめ指定された位置変換方法で位置データに変換する段階と、
前記位置データを前記保安システムに伝送する段階と
をさらに含むことを特徴とする、請求項１に記載の方法。
【請求項８】
運転者の画像データ入力要請に応答して、侵入者及び周囲状況を含む画像データを入力する段階と、
使用者から画像入力部の角度を遠隔制御できる権限を附与する権限附与命令を入力する段階と、
前記画像データと前記権限附与命令をあらかじめ指定された変換方式に従って変換する段階と、
前記画像データと前記権限附与命令とを保安システムに伝送する段階と
を含むことを特徴とする通信網を利用した危急状況通知方法。
【請求項９】
使用者の携帯用端末機または画像入力装置から画像データを受信する段階と、
前記使用者に対応する使用者情報を検索する段階であって、前記使用者情報は前記使用者の電話番号、IPアドレスのうち少なくとも一つを含む検索段階と、
前記使用者の位置を把握する段階と、
前記位置をあらかじめ指定された位置変換方法により位置データに変換する段階と、
前記画像データと前記位置データを保安システムに伝送する段階と
を含むことを特徴とする通信網を利用した危急状況通知方法。
【請求項１０】
前記方法は、
前記携帯用端末機または前記画像入力装置から侵入者の音声を含む音声データを受信する段階と、
前記音声データを前記保安システムに伝送する段階と
をさらに含むことを特徴とする、請求項９に記載の方法。
【請求項１１】
危急状況に直面した使用者に助けを提供するための方法において、
移動通信システム、携帯用端末機、画像入力装置のうちの一つから侵入者の画像を含む画像データを受信する段階と、
前記画像データをあらかじめ指定された格納方法により格納部に格納する段階と、
前記画像データをスクリーンに表示する段階と、
前記危急状況を保安要員に通知する段階と
を含み、
前記画像データは、自動に格納されるか、又は使用者の格納命令に応答して格納されること
を特徴とする方法。
【請求項１２】
前記方法は、
使用者から、前記画像入力装置の角度変更のための角度変更命令を入力する段階と、
前記角度変更命令を前記移動通信システム、前記携帯用端末機、及び前記画像入力装置のうちの一つに伝送する段階と
をさらに含むことを特徴とする、請求項１１に記載の方法。
【請求項１３】
前記角度変更命令を前記移動通信システム、前記携帯用端末機、及び前記画像入力装置のうちの一つに伝送する段階は、
前記移動通信システム、前記携帯用端末機、及び前記画像入力装置のうちの１つにより前記画像入力装置の角度を遠隔制御できる権限を附与するための権限附与命令が受信されたか否かをあらかじめ判断することを備えることを特徴とする、請求項１２に記載の方法。
【請求項１４】
前記方法は、
前記移動通信システム、前記携帯用端末機、及び前記画像入力装置のうちの一つから位置データを受信する段階と、
前記位置データを利用して前記使用者の位置をスクリーンに表示する段階と
をさらに含み、
前記位置データが地図又はテキストで表示されることを特徴とする、請求項１１に記載の方法。
【請求項１５】
前記方法は、
前記移動通信システム、前記携帯用端末機、及び前記画像入力装置のうちの一つから侵入者の音声を含む音声データを受信する段階と、
前記音声データをあらかじめ指定された格納方法により格納部に格納する段階と
をさらに含むことを特徴とする、請求項１１に記載の方法。
【請求項１６】
前記方法は、
保安要員から危急状況解決のための警告音声を入力する段階と、
前記警告音声をあらかじめ指定された音声変換方法により警告音声データに変換する段階と、
前記警告音声データを前記移動通信システム、前記携帯用端末機、及び前記画像入力装置のうちの一つに伝送する段階と
をさらに含むことを特徴とする、請求項１１に記載の方法。
【請求項１７】
運転者の画像入力要請に応答して、侵入者及び周囲状況を含む画像データを入力する手段と、
前記画像データをあらかじめ指定された画像変換方式に従って変換する手段と、
前記画像データを保安システムに伝送する手段と
を含み、
前記画像データの入力を運転者が車両内で、足で制御することを特徴とする通信網を利用した危急状況通知システム。
【請求項１８】
前記システムは、
使用者から画像入力部の角度の変更のための画像角度変更命令が入力されたか否かを判断する手段と、
前記画像角度変更命令が入力された場合に、前記画像入力部の角度を変更する手段と
をさらに含むことを特徴とする、請求項１７に記載のシステム。
【請求項１９】
前記システムは、
前記保安システムまたは移動通信システムから画像入力部の角度の変更のための画像角度変更命令が受信されたか否かを判断する手段と、
前記画像角度変更命令が受信された場合に、前記画像入力部の角度を変更する手段と
をさらに含むことを特徴とする、請求項１７に記載のシステム。
【請求項２０】
前記システムは、
使用者により音声データ入力要請が入力された場合に、侵入者の音声及び周囲の音を含む音声データを入力する手段と、
前記音声データをあらかじめ指定された音声変換方式に従って変換する手段と、
前記音声データを介して保安システムに伝送する手段と
をさらに含むことを特徴とする、請求項１７に記載のシステム。
【請求項２１】
前記システムは、
前記保安システムまたは移動通信システムから音声データが受信されたか否かを判断する手段と、
前記音声データが受信された場合に、前記音声データを音声入出力部を介して出力する手段と
をさらに含むことを特徴とする、請求項１７に記載のシステム。
【請求項２２】
前記システムは、
GPS 衛星から地理情報を受信する手段と、
前記地理情報を利用して現在位置を判断する手段と、
前記現在位置をあらかじめ指定された位置変換方法で位置データに変換する手段と、
前記位置データを前記保安システムに伝送する手段と
をさらに含むことを特徴とする、請求項１７に記載のシステム。
【請求項２３】
運転者の画像データ入力要請に応答して、侵入者及び周囲状況を含む画像データを入力する手段と、
使用者から画像入力部の角度に対する遠隔制御権限を附与するための権限附与命令を入力する手段と、
前記画像データと前記権限附与命令をあらかじめ指定された変換方式に従って変換する手段と、
前記画像データと前記権限附与命令を保安システムに伝送する手段と
を含むことを特徴とする通信網を利用した危急状況通知システム。
【請求項２４】
使用者の携帯用端末機または画像入力装置から画像データを受信する手段と、
前記使用者に対応する使用者情報を検索する手段であって、前記使用者情報は電話番号、IPアドレスのうち少なくともいずれか一つを含む検索手段と、
前記使用者の位置を把握する手段と、
前記位置をあらかじめ指定された位置変換方法により位置データに変換する手段と、
前記画像データと前記位置データを保安システムに伝送する手段と
を含むことを特徴とする通信網を利用した危急状況通知システム。
【請求項２５】
前記システムは、
前記携帯用端末機または前記画像入力装置から侵入者の音声を含む音声データを受信する手段と、
前記音声データを前記保安システムに伝送する手段と
をさらに含むことを特徴とする、請求項２４に記載のシステム。
【請求項２６】
危急状況に直面した使用者に助けを提供するためのシステムにおいて、
移動通信システム、携帯用端末機、及び画像入力装置のうちの一つから侵入者を含む画像データを受信する手段と、
前記画像データをあらかじめ指定された格納方法により格納部に格納する手段と、
前記画像データをスクリーンに表示する手段と、
危急状況情報を保安要員に通知する手段と
を含むことを特徴とするシステム。
【請求項２７】
前記システムは、
前記画像入力装置の角度変更のための角度変更命令を使用者から入力する手段と、
前記角度変更命令を前記移動通信システム、前記携帯用端末機、及び前記画像入力装置のうちの一つに伝送する手段と
をさらに含むことを特徴とする、請求項２６に記載のシステム。
【請求項２８】
前記システムは、
前記移動通信システム、前記携帯用端末機、及び前記画像入力装置のうちの一つから位置データを受信する手段と、
前記位置データを利用して前記使用者の位置を前記スクリーンに表示する手段と
をさらに含むことを特徴とする、請求項２６に記載のシステム。
【請求項２９】
前記システムは、
前記移動通信システム、前記携帯用端末機、及び前記画像入力装置のうちの一つから侵入者の音声を含む音声データを受信する手段と、
前記音声データをあらかじめ指定された格納方法により格納部に格納する手段と
をさらに含むことを特徴とする、請求項２６に記載のシステム。
【請求項３０】
前記システムは、
保安要員から危急状況解決のための警告音声を入力する手段と、
前記警告音声をあらかじめ指定された音声変換方法により警告音声データに変換する手段と、
前記警告音声データを前記移動通信システム、前記携帯用端末機、前記画像入力装置のうちの一つに伝送する手段と
をさらに含むことを特徴とする、請求項２６に記載のシステム。
【請求項３１】
通信網を利用した危急状況通知システムであって、システムは、
記憶装置と、
前記記憶装置に接続されたプロセッサとを含み、
前記記憶装置は、前記プロセッサを制御するプログラムを格納し、
前記プロセッサは、前記プログラムにより、請求項１１ないし請求項１６のいずれか一項に記載された方法を実行することを特徴とするシステム。
【請求項３２】
請求項１ないし請求項８のいずれか一項に記載された方法を行うために、コンピュータ実行可能な命令が格納され、デジタル処理装置により実行可能な命令プログラムにより具体的に実現された、コンピュータ読み取り可能な媒体。
【請求項３３】
請求項１１ないし請求項１６のいずれか一項に記載された方法を行うために、コンピュータ実行可能な命令が格納され、デジタル処理装置により実行可能な命令プログラムにより具体的に実現された、コンピュータ読み取り可能な媒体。
【発明の詳細な説明】
【技術分野】
【０００１】
この発明は、現在発生した危険状況に対して防犯センターに迅速に助けを要請できる通信網を利用した危急状況通知システム及び方法に関する。
【背景技術】
【０００２】
現在保安システムは、一般家庭の家、アパート団地、企業などにおいて広く用いられている。
従来の保安システムは、外部侵入者が存在するか否かを監視することに集中しており、従来の保安システムの一般的な形態は以下の通りである。
【０００３】
従来の保安システムの第１の方式は、赤外線センサーを設置した監視領域に侵入者の存在が感知されると、警告表示とともに遠隔地に警報信号を伝送する方式である。
従来の保安システムの第２の方式は、監視領域内に侵入者が存在することを警備員などが発見した後、警報ボタンを押して外部の防犯センターに危急状況を知らせる方式である。
【０００４】
すなわち、第1 の方式は、監視領域内に人が存在しない場合に適用される方式であり、第２の方式は、監視領域内に人が存在する場合に適用される方式である。
しかし、従来の保安システムは、危険人物と直接対面している状況や警報ボタンを操作できない状況においては役立たない問題点があった。
【０００５】
また、従来の保安システムは、固定された場所内に限定された保安システムであって、利用者が移動中である場合には、保安システムの利用が不可能であった。
【発明の開示】
【発明が解決しようとする課題】
【０００６】
そこで、この発明の目的とするところは、危険人物と直接対面している状況や警報ボタンの操作が困難な状況においても防犯センターに現在の危険に対して迅速な助けを要請できる通信網を利用した危急状況通知システム及び方法を提供することにある。
【０００７】
また、この発明の他の目的は、移動中に危険にさらされた場合にも現在の危険状況に対して防犯センターに迅速な助けを要請できる通信網を利用した危急状況通知システム及び方法を提供することにある。
【０００８】
また、この発明の他の目的は、画像入力装置の画像入力方向を外部から自在に制御することにより正確な危険状況判断が可能な通信網を利用した危急状況通知システム及び方法を提供することにある。
【課題を解決するための手段】
【０００９】
前記目的を達成するため、本発明の一実施形態によると、自動車の運転者の画像入力要請に応答して、侵入者及び周囲状況を含む画像データを入力する段階と、前記画像データをあらかじめ指定された画像変換方式に従って変換する段階と、前記画像データを保安システムに伝送する段階とを含むことを特徴とする方法が提供される。
【００１０】
前記画像データを保安システムに伝送する段階は、前記画像データを有線通信網または近距離無線通信網を利用して携帯用端末機に伝送する段階を含み、前記携帯用端末機が前記画像データを移動通信システムに伝送する。そして、前記携帯用端末機は、移動通信端末機、パーソナル・コンピュータ、PDA （パーソナル・デジタル・アシスタント）などを適用できる。
【００１１】
前記方法は、使用者から画像入力部の角度の変更のための画像角度変更命令が入力されたか否かを判断する段階と、前記画像角度変更命令が入力された場合に、前記画像入力部の角度を変更する段階と、前記変更された角度に対応する画像データを入力する段階をさらに含むことができる。そして、前記画像角度変更命令は、携帯用端末機のキーボタンを利用して入力することができる。
【００１２】
前記方法は、前記保安システムまたは移動通信システムから前記画像入力部の角度の変更のための画像角度変更命令が受信されたか否かを判断する段階と、前記画像角度変更命令が受信された場合に、前記画像入力部の角度を変更する段階と、前記変更された角度に対応する画像データを入力する段階とをさらに含むことができる。そして、前記画像角度変更命令は、携帯用端末機のキーボタンを利用して入力することができる。
【００１３】
本発明のシステムは、使用者により音声データ入力要請が入力された場合に、侵入者の音声及び周囲の音を含む音声データを入力し、前記音声データをあらかじめ指定された音声変換方式に従って変換し、前記音声データを保安システムに伝送する。
【００１４】
前記方法は、保安システムまたは移動通信システムにより音声データが受信されたか否かを判断する段階と、前記音声データが受信された場合に、前記音声データを音声入出力部を介して出力する段階とをさらに含むことができる。
【００１５】
前記方法は、GPS 衛星から地理情報を受信する段階と、前記地理情報を利用して現在位置を判断する段階と、前記現在位置をあらかじめ指定された位置変換方法で位置データに変換する段階と、前記位置データを保安システムに伝送する段階とをさらに含むことができる。
【００１６】
また、本発明の目的を達成するために、本発明の別の好ましい実施形態によると、自動車の運転者の画像入力要請に応答して、侵入者及び周囲状況を含む画像データを入力する段階と、使用者から画像入力部の角度に対する遠隔制御権限を附与するための権限附与命令を入力する段階と、前記画像データと前記権限附与命令をあらかじめ指定された変換方式に従って変換する段階と、前記画像データと前記権限附与命令を保安システムに伝送する段階とを含むことを特徴とする方法が提供される。
【００１７】
また、本発明の目的を達成するため、本発明の好ましい他の実施形態によると、使用者の携帯用端末機または画像入力装置から画像データを受信する段階と、前記使用者と対応する使用者情報( 例えば、前記使用者の電話番号、IPアドレス等) を検索する段階と、前記使用者の位置を把握する段階と、前記位置をあらかじめ指定された位置変換方法により位置データに変換する段階と、前記画像データと前記位置データを前記保安システムに伝送する段階とを含むことを特徴とする方法が提供される。
【００１８】
前記方法は、前記携帯用端末機または前記画像入力装置から侵入者の音声を含む音声データを受信する段階と、前記音声データを前記保安システムに伝送する段階とをさらに含むことができる。
【００１９】
また、本発明の目的を達成するために、本発明の好ましいもう一つの実施形態によると、移動通信システム、携帯用端末機、及び画像入力装置のうちの一つから侵入者を含む画像データを受信する段階と、前記画像データをあらかじめ指定された格納方法( 受信する画像データを自動に格納されるようにするか、使用者の格納命令に応答して格納するようにする) によって格納部に格納する段階と、前記画像データをスクリーンに表示する段階とを含む方法が提供される。
【００２０】
前記方法は、使用者から画像入力部の角度変更のための角度変更命令を入力する段階と、前記角度変更命令を移動通信システム、携帯用端末機、画像入力装置のうちの一つに伝送する段階をさらに含むことができる。
【００２１】
前記角度変更命令を前記移動通信システム、前記携帯用端末機、及び前記画像入力装置のうちの一つに伝送する段階は、前記移動通信システム、前記携帯用端末機、前記画像入力装置のうちの一つにより、画像入力部の角度に対する遠隔制御権限を附与するための権限附与命令を受信されたか否かをあらかじめ判断することを含む。
【００２２】
前記方法は、移動通信システム、携帯用端末機、及び画像入力装置のうちの一つから位置データを受信する段階と、前記位置データを利用して使用者の位置を、前記位置データが地図で表示されるかた、或いはテキストで表示されるようにスクリーンに表示する段階をさらに含むことができる。
【００２３】
前記方法は、移動通信システム、携帯用端末機、及び画像入力装置のうちの一つから侵入者の音声を含む音声データを受信する段階と、前記音声データをあらかじめ指定された格納方法によって格納部に格納する段階をさらに含むことができる。
【００２４】
前記方法は、保安要員から危急状況解決のための警告音声を入力する段階と、前記警告音声をあらかじめ指定された音声変換方法によって警告音声データに変換する段階と、前記警告音声データを移動通信システム、及び携帯用端末機、画像入力装置のうちの一つに伝送する段階をさらに含むことができる。
【発明を実施するための最良の形態】
【００２５】
以下、添付する図面を参照しながら本発明の好ましい実施の形態を詳細に説明する。しかし、当然のことながら、本発明は以下の実施の形態に限定されるものではない。
好ましい実施の形態では、利用者には、自動車で移動中の運転手、遅い時間に帰宅する女性、地下駐車場に駐車した運転手などが該当し得る。以下、自動車で移動中の運転手の場合を中心に本発明を説明する。
【００２６】
図1 は、本発明の通信網を利用した危急状況通知システムの概略構成を示す図面であって、図2Aないし図2Cは、本発明の危急状況通知システムの一例を示す図面である。
図1 を参照すると、危状況通知システムは、画像入力装置100 、携帯用端末機150 、移動通信システム160 、保安システム170 などを含むことができる。
【００２７】
画像入力装置100 は、電源制御部105 、画像入力部110 、制御部115 、データ変換部120 、送信部125 、受信部130 、カメラ制御部135 などを含むことができる。
電源制御部105 は、画像入力装置100 の動作開始命令及び動作終了命令を入力するための手段であり、画像入力部110 は、電源制御部1 05 を介して動作開始命令が入力された場合に制御部115 の制御により自動車周辺の画像を入力するための手段である。
【００２８】
データ変換部120 は、画像入力部110 を介して入力された画像データをアナログ/ デジタル変換機を利用してデジタル画像に変換し、変換されたデジタル画像データをJPEGまたはMPEGなどの形態にデジタル圧縮する。
【００２９】
送信部125 は、データ変換部120 により変換された画像データを携帯用端末機120 に伝送する。受信部130 は、携帯用端末機150 から伝送される画像入力装置100 の制御データ( 例えば、カメラ方向移動、ズーム(zoom)機能などのようなカメラ制御データ) を受信する。
【００３０】
カメラ制御部135 の制御部115 は、受信されたカメラ制御データに対応して画像入力部110 の動作( 例えば、カメラ方向の変更、画像拡大、画像縮小等) を制御する。
また、本発明のシステムが音声入出力装置を備える場合、システムは音声データを送信及び受信可能である。
【００３１】
携帯用端末機150 は、通信機能が含まれて保安システム170 に接続できる装置であればよく、移動通信端末機、PDA （パーソナル・デジタル・アシスタント）などを適用することができるが、この明細書では移動通信端末機に適用した場合を例に挙げて説明する。
【００３２】
画像入力装置100 と携帯用端末機150 との間のデータ送受信は、有線通信網のみならず近距離無線通信網でも可能である。
図2Aを参照すると、自動車内部に設置できる電源制御部105 と携帯用端末機150 の設置位置が例示されている。
【００３３】
電源制御部105 は、画像入力装置100 の動作開始命令及び動作終了命令を入力するための手段であって、動作開始命令を、侵入者に知られることなく密かに入力できるように、ユーザの車両のクラッチペダル(Clutch Pedal)に隣接した所定の位置に設置することができる。
【００３４】
もちろん、電源制御部105 の機能をハンドル(Steering Wheel)に付加することができるだけでなく、自動車が始動された際に自動に電源がオン(ON)されるか或いは、人が自動車に触ったり別の車両との同士の衝突などがあると自動に電源がオンされてもよい。
【００３５】
そして、運転手が自動車内にいる際に、携帯用端末機150 は、ハンズフリー装置に結合されたり、運転手のポケット内に位置することができる。
自動車内に設置した画像入力装置100 と携帯用端末機150 が1 メートル以内の距離に位置するので、近距離無線通信網を利用して画像入力装置100 と携帯用端末機150 との間データ送受信が可能である。もちろん、画像入力装置100 と携帯用端末機150 を有線通信網で結合してデータ送受信することができる。
【００３６】
図2Bと図2Cは、本発明の画像入力部110 の一例を示す。
画像入力部110 は、開閉式に構成された自動車のボンネット、天井、またはトランク(trunk) の所定領域に設置され、当該領域の開放時に画像入力部110 が外部に露出されて、現在周囲状況の画像が画像入力部110 により入力されるようにすることができる。
【００３７】
この場合の画像入力部110 は、上下左右に自由に移動可能であり、四方の画像を入力することができる。
また、図2Cに示されているように、各々の窓枠の窓上側にそれぞれの画像入力部110 を設置することができる。この場合、それぞれの画像入力部110 が自動車外部の360 度角度の監視が可能となるように設置角度を決定すると、画像入力部110 は四方の画像を入力することができる。
【００３８】
また、図2Bに示されている画像入力部110 は、外部に露出するので、外部の危険人物が、保安システムに気付き、当該画像入力部110 を破壊する憂慮がある。
しかし、図2Cに示されている画像入力部110 は、このような短所の多くの部分を補完できる特性がある。
【００３９】
このように画像入力部110 は、単数または複数個を設置することができるのみでなく、着脱式または所望の位置に移動可能な形態に構成できる。
そして、図1 に示されている保安システム170 は、使用者の危険信号に応答して助けを提供するため、警察署、交番、警備会社などで備えるシステムであり得る。保安システム170 は、保安サーバ175 、格納部などを含むことができる。
【００４０】
図3Aないし図3Eは、本発明の運転手の危急状況を通知する方法を示すフローチャートであって、図4Aないし図4Dは、本発明の状況情報表示画面を例示した図面である。
図3Aは、運転手の危急状況を通知する方法のフローチャートであって、図3Bないし図3Eは、図3Aに示されている段階215 の様々な実施例を示す。
【００４１】
図3Aを参照すると、段階205 で画像入力装置100 の電源制御部105 は、運転手により動作開始命令が入力されたか否かを判断する。
動作開始命令が入力さたる場合には、画像入力装置100 は、段階210 に進行し、そうでない場合には、段階205 で運転手から動作開始命令が入力される時まで待ち受ける。段階210 で画像入力装置100 の制御部115 は、周囲状況を画像データで入力する。
【００４２】
図3Bを参照すると、段階215 で画像入力装置100 の送信部125 は、近距離通信網を介して画像データを携帯用端末機150 に伝送して、携帯用端末機150 は、受信した画像データを通信網を介して移動通信システム160 に伝送する。
【００４３】
段階215 では、画像データが変換される過程がさらに含まれ、当該画像データが送信部125 から携帯用端末機150 に伝送される過程は有線通信網または無線通信網を介して行なわれる。
【００４４】
また図3Aを参照すると、移動通信システム160 は、携帯用端末機150 により、段階220 で画像データを受信して、段階225 で当該運転手の位置情報を確認する。
そして、段階230 で移動通信システム160 は、画像データと位置情報( 緯度と経度を含む座標データとすることができる) を保安システム170 に伝送する。
【００４５】
以下に移動通信システム160 でなされる動作を詳細に述べる。
移動通信システム160 は、基地局(BTS:Base Transceiver Station)、基地局制御機(BSC:Base Station Controller) 、訪問者位置登録機(VLR:Visitor Location Resister) 、ホーム位置登録機(HLR:Home Location Resistor)、交換機(MSC:Mobile Switching Center) 、データ伝送サーバ( メッセージサーバ) 、網連動装置(IWF:Inter-Working Function)などを含むことができる。
【００４６】
携帯用端末機150 から伝送された画像データは、基地局(BTS) で受信され、基地局制御機(BSC) の制御により交換機(MSC) に伝送される。
交換機(MSC) は、訪問者位置登録機(VLR) とホーム位置登録機(HLR) を利用して携帯用端末機150 の位置情報を把握する。
【００４７】
データ伝送サーバは、画像データ及び運転手の位置情報を受信し、それらを網連動装置(IWF) を利用して保安システム170 に伝送する。
段階235 で保安システム170 は、移動通信システム160 から画像データ及び位置データを受信して、段階240 に進行し、当該画像データと位置データを格納部180 に格納すると同時に、保安システム170 と接続されたスクリーン(screen)を介してそれらを表示する。
【００４８】
もちろん、保安システム170 は、画像データ、位置データをその近くの交番、警察署または警備会社などに伝送することができる。
図4Aないし図4Dを参照すると、保安システム170 と接続されたスクリーンに携帯用端末機150 から伝送される画像データ及び移動通信システム160 から伝送される位置情報が表示される。
【００４９】
図4Aのスクリーンは一つの画像データ表示領域505 、位置情報表示領域510 、運転手情報表示領域512 などで構成され得る。
画像データ表示領域505 内に表示される画像データは、画像入力部110 から入力され、携帯用端末機150 を介して伝送される画像データである。
【００５０】
位置情報表示領域510 は、移動通信システム160 により把握された運転手の位置情報を表示するための領域であり、運転手位置周辺の地図がイメージで表示される。運転手の位置情報は、イメージタイプ又はテキストタイプで表示可能である。
【００５１】
また、テキストで位置情報を表示することができる。
また、運転手情報表示領域512 は、移動通信システム160 または保安システム170 により把握された運転手の個人情報及び事件発生時刻/ 日などを表示するための領域である。
【００５２】
図4Bを参照すると、スクリーン500 が複数の画像データ表示領域515 と位置情報表示領域520 とで構成されることができ、監視カメラ変更アイコン、スクリーン構造変更アイコン、及び音声送信アイコンを含むことができる。また、図4Bのようなスクリーン500 でも運転手情報表示領域512 を含むようにすることができることはもちろんである。
【００５３】
自動車に複数の画像入力部110 を備えるようにした場合、スクリーン500 は複数の画像データ表示領域515 を備えることができ、画像データ表示領域515 は、静止画像又はリアルタイム動画を表示する。
【００５４】
そして、図2Bのように、一つの画像入力部110 を備えた場合にもリアルタイム画像データ領域と停止画像データ領域とに区分して実施できる。
また、車両が一つの画像入力部110 を備えた場合にも、画像データ表示領域515  は、他の保安システムにより予めセットアップされた監視カメラの画像データを表示することができる。
【００５５】
そして、保安要員が入力装置( 例えば、キーボード、マウス等) を利用して図4Bに示されている監視カメラ変更アイコンを選択した場合には、保安システムは複数の監視カメラ情報を表示し、保安要員はそれらのうちの別の監視カメラを選択可能である。
【００５６】
図4Cを参照すると、保安システム170 と接続された( または保安システム170 内に含まれた) 表示部に運転手の位置、運転手に近接した監視カメラの設置位置、現在指定された監視カメラ番号、及び、保安要員が選択可能な監視カメラ情報などが表示される。
【００５７】
これを通じて保安要員は最も良質の画像データを提供できる監視カメラを選択できるだけでなく、場合によっては複数の監視カメラを選択することができる。
また、保安要員は、画像入力部110 を用いて画像データの拡大、縮小を行うことができる。
【００５８】
そして、保安要員が入力装置( 例えば、キーボード、マウス等) を利用して侵入者を選択した場合には、表示部に、当該侵入者と関連した侵入者情報が表示される。
侵入者情報は、当該侵入者の顔、名前、住所、前科を含む。  表示部は、正確度情報と再検索アイコンを表示し、正確な情報を提供する。
【００５９】
保安要員は、図4Bに示されているスクリーン構造変更アイコンを選択することによって、画像データ表示領域の数量を増加または減少させることができ、音声送信アイコンを選択することによって、リアルタイム音声警告データを当該侵入者に伝達することができる。
【００６０】
図3Cを参照して、段階210 ，305 で画像入力装置100 の送信部125 は、画像データを通信網を介して移動通信システム160 に伝送する。
段階310 で画像入力装置100 のカメラ制御部135(図1 参照) は、運転手から、画像入力角度を変更するための画像入力角度変更命令( すなわち、画像入力部110 の方向、レンズ角度変更命令) が入力されたか否かを判断する。
【００６１】
例えば、運転手が画像入力角度を変更するために、画像入力角度変更命令を入力する方法では、次のような方法を適用できる。
運転手は、携帯用端末機150 の数字ボタンを利用して、監視カメラのレンズ方向（画像入力部の角度）を変更することができる。
【００６２】
また、運転者は、携帯用端末機150 の方向ボタンを用いて、画像データの拡大、縮小ができる。
また、画像入力部110 に、侵入者の動きを感知するセンサを付加して、画像入力部110 が、侵入者の移動に相応して自動にカメラレンズ方向を移動及び調節する方法を適用できる。
【００６３】
また、図３を参照すると、命令が入力されない場合には、処理は、段階210 に進行する。
しかし、命令が入力された場合には、画像入力装置100 は、段階315 で、命令に相応するように画像入力部110 の角度を変更し、段階210 から処理を再び開始する
図3Dを参照して、段階355 で、画像入力装置100 の電源制御部105 は、運転手から動作終了命令が入力されたか否かを判断する。
【００６４】
運転手により動作終了命令が入力されると、電源制御部105 により、電源がオフ(off) 状態となったり、画像入力部110 の動作停止状態になり得る。
動作終了命令が入力されない場合には、段階360 に進行して画像データを通信網を介して移動通信システム160 に伝送する。
【００６５】
図3Eを参照して、段階405 で画像入力装置100 の電源制御部105 は、運転手から動作終了命令が入力されたか否かを判断する。
動作終了命令が入力されると、処理を終了し、動作終了命令が入力されていない場合には、段階410 に進行して画像データを通信網を介して移動通信システム160 に伝送する。
【００６６】
段階415 で、画像入力装置100 のカメラ制御部135 は、運転手から、画像入力角度を変更するための画像角度変更命令が入力されたか否かを判断する。
もし運転手から画像角度変更命令が入力されない場合には、画像入力装置100 は、段階210 に進行する。
【００６７】
しかし、運転手から画像角度変更命令が入力された場合には、画像入力装置100 は、段階420 に進行して、命令に相応するように、画像入力部110 の角度を変更し、段階210 から、再び処理を開始する。
【００６８】
図5 は、本発明の遠隔地で画像入力角度を制御する方法を示すフローチャートであって、図6 は、本発明の遠隔地で画像入力角度を制御するための画面表示の例示図である。
図5 のうち段階605 ないし段階645 は、前に説明した図3A及び図3Bでの段階と同様であるので、ここではこれに対する説明を省略する。
【００６９】
図5 を参照すると、段階650 で保安サーバ170 は、保安要員( または警察官等) から、画像入力角度を変更するための画像角度変更命令が入力されたか否かを判断する。
図6 を参照すると、角度制御画面710 は、データ表示領域720 、角度変更領域730 、キャプチャーアイコン740 、ズームインアイコン750 、ズームアウトアイコン760 、格納アイコン770 、再生アイコン780 、センサ領域790 などを含むことができる。
【００７０】
画像データと位置データを表示するデータ表示領域720 を参照して、保安要員は、角度変更領域730 の方向ボタンを利用して画像入力部110 の角度を変更できる。
また、当該保安要員は、キャプチャーアイコン740 を利用して画像入力部110 にデータ表示領域720 の画像データを停止画像で生成させ、ズームインアイコン750 またはズームアウトアイコン760 を利用してデータ表示領域720 の画像データを拡大縮小することができる。
【００７１】
そして、保安サーバ175 の格納部180 を利用して、受信される画像データが自動に格納されるようにすることができるだけでなく、保安要員が格納アイコン770 を選択したとき、格納部180 は、データ表示領域720 に表示された画像データを格納する。
【００７２】
また、保安要員は、再生アイコン780 を利用して、画像入力部110 に、格納部180 内に格納されている画像データファイルを再生させることができる。
画像入力部110 に、侵入者の動きを感知するセンサが接続された場合であれば、センサ領域790 に含まれた「ON」項目を選択したとき、画像入力部110 により、侵入者の動きに対応してカメラレンズの角度が変更される。
【００７３】
また図5 を参照すると、命令が入力された場合には、段階655 に進行して、そうでない場合には処理を終了する。段階655 で保安サーバ175 は、命令を移動通信システム160 に伝送する。段階660 で移動通信システム160 は、受信した命令を携帯用端末機150 に伝送する。
【００７４】
携帯用端末機150 が、移動通信システム160 から命令を受信した場合、命令が無線通信網を介して画像入力装置100 に伝送される。画像入力装置100 は段階665 で命令に相応して画像入力部100 の角度を変更する。
【００７５】
そして、処理は段階610 に進行する。
保安システムでは、認証手続きを要しないように構成できる。
すなわち、画像データが携帯用端末機150 及び移動通信システム160 を経由して保安システム170 に伝送されるその過程で当該運転手が誰であるかが当然判断されるためである。
【００７６】
そして、個人情報( 例えば、名前、電話番号、住所等) を画像データ、位置情報と共に保安システム170 で格納管理できる。
図7 は、本発明に係る通信網を利用した別例の危急状況通知システムの概略的な構成を示す図面である。
【００７７】
図7 を参照すると、別例の危急状況通知システムは、画像入力装置100 、移動通信システム160 、保安システムなどを含むことができる。
画像入力装置100 は、電源制御部105 、画像入力部110 、制御部115 、データ変換部120 、送信部125 、受信部130 、カメラ制御部135 などを含むことができる。
【００７８】
送信部125 、受信部130 は、携帯用端末機を介さず、移動通信システム160 にデータを送受信できる。
別例のシステムは、移動通信システム160 の役割を果たすことができる。
【００７９】
運転手の動作開始命令により画像入力装置100 が動作開始されると、画像入力装置100 は、周囲状況を画像データで入力する。
そして、画像データは、送信部125 により移動通信システム160 に伝送される。移動通信システム160 は、送信部125 から伝送される画像データを受信して、携帯用端末機を利用して当該運転手の位置情報を確認する。以後、移動通信システム160 は、画像データと位置情報を保安システム170 に伝送する。
【００８０】
保安システム170 は、移動通信システム160 から画像データ及び位置データを受信して、当該画像データと位置データを格納部180 に格納すると同時に保安システム170 と接続されたスクリーンを介して表示する。
【００８１】
しかし、図7 に示されている危急状況通知システムは、携帯用端末機150 を備えていない。運転手の身元確認のために、運転手個人情報、及び当該画像入力装置100 のシリアルナンバーをあらかじめ移動通信システム160 に登録するべきである。
【００８２】
画像入力部110 の角度を変更する方法は、前で図3Cないし図3Eと、図5 を参照して説明した部分と同様であるのでこれに対する説明は省略する。
図8 は、本発明の更なる別例の通信網を利用した危急状況通知システムの概略構成を示す図面である。
【００８３】
図8 を参照すると、危急状況通知システムは、画像入力装置100 、保安システム170 、GPS 衛星810a、810b、810c( 以下810 と記す) などを含むことができる。
画像入力装置100 は、電源制御部105 、画像入力部110 、制御部115 、データ変換部120 、送信部125 、受信部130 、カメラ制御部135 、GPS 受信機820 などを含むことができる。
【００８４】
運転手の位置情報を把握するGPS システムを採用しており、運転者は、画像入力装置100 を用いてインターネットなどの通信網と接続が可能である。
GPS 受信機820 は、GPS 衛星810 から発信される電波を受信し、この受信した電波を用いて運転手位置データを算出して、算出した位置データを制御部115 に伝送する。
【００８５】
運転手の自動車にナビゲーション(Navigation)システムが搭載された場合、運転手はGPS システムにより提供される位置データを使用することができる。
そして、制御部115 は、画像入力部110 から入力される画像データとGPS 受信機820 により受信される位置データをデータ変換部120 に伝送して、データ変換部120 は、当該画像データと当該位置データを状況データに変換して、変換された状況データは、送信部125 を利用して保安システム170 に伝送される。
【００８６】
しかし、図8 に示されている危急状況通知システムは携帯用端末機を利用していないため、運転手の身元確認のために、運転手個人情報と当該画像入力装置100 のネットワーク固有アドレスをあらかじめ移動通信システム160 に登録するべきである。
【００８７】
ここで、ネットワーク固有アドレスは、当該画像入力装置100 に附与されたIPアドレスと当該画像入力装置100 の固有番号( 例えば、製品コード、シリアルナンバー等) などを含むことができる。
【００８８】
また、保安システム170 の格納部180 は、IPアドレスデータベース、画像入力装置データベースなどを含むことができる。
図9 は、本発明に係る遠隔地で画像入力角度を制御する別例の方法を示すフローチャートである。
【００８９】
図9 を参照すると、画像入力装置100 は、段階910 で画像データ及び位置データを入力して、段階915 に進行して、入力された画像データ及び位置データを保安システム170 に伝送する。
【００９０】
保安システム170 は、画像データ及び位置データを受信してスクリーン上に表示すると、段階920 で、保安要員から画像入力角度変更要請を入力され、保安システムは、段階925 に進行して画像入力角度変更命令を画像入力装置100 に伝送する。
【００９１】
段階930 で、画像入力装置100 は、命令に応じて動作し、段階935 に進行して画像データと位置データを入力する。そして、画像入力装置100 は、段階940 で画像データと位置データを保安システム170 に伝送する。
【００９２】
そして、本発明によると、音声データの送受信が可能となるように音声入出力装置を利用したシステムを構成できる。
保安システムが音声入出力装置を含む場合には、保安要員は、侵入者の音声データを利用して正確に侵入者を感知すること可能となるのみでなく、保安要員が音声入出力装置を用いて警告メッセージをリアルタイムで侵入者に伝達することができる。
【００９３】
そして、本発明の適用可能な実施形態として、遅い時間に帰宅する人のためにも適用できる。
かばんの中に、またはポケットの中に携帯用端末機150 をいれて、携帯用端末機と接続された画像入力部1 10 または音声入出力装置を外部に露出する。画像入力部110 または音声入出力装置により入力された画像データ及び音声データは、保安システム170 に伝送される。
【００９４】
保安要員又は警察官は、画像データ及び音声データを使用して侵入者の捜索又は交通事故処理を行うことができる。
図10A は、本発明の画像入力部制御権限授与方法を示すフローチャートである。
【００９５】
図10A を参照すると、段階1010で画像入力装置100 は運転手が動作開始命令を入力したか否かを判断する。
画像入力装置100 は、もし運転手から動作開始命令が入力された場合には、段階1015に進行し、そうでない場合には、段階1010で運転手から動作開始命令が入力される時まで待ち受ける。
【００９６】
段階1015で画像入力装置100 は、画像データ及び位置データを入力して、段階1020に進行して入力された画像データ及び位置データを保安システム170 に伝送する。
段階1025で、保安システム170 は、画像データ及び位置データを受信して、段階1030に進行して受信された画像データ及び位置データを格納すると同時に、表示する。当該画像データ、位置データ及び音声データを通して当該保安要員は危急状況が発生したことを感知できる。
【００９７】
段階1035で保安システム170 は、システム170 が当該運転者の画像入力部110 を遠隔制御できるか否かを判断する。
運転手は、危急状況データを利用して画像入力部100 を遠隔制御することができる。危急状況データのデータモデルを図10B を利用して説明する。
【００９８】
図10B を参照すると、危急状況データは、ヘッダ情報領域HEADER、端末機情報領域TER_INF 、制御情報領域CON_INF 、画像データ領域IMA_DAT 、音声データ領域SND_DAT 、位置情報領域LOC_DAT 、末端領域TAILなどを含むことができる。
【００９９】
端末機情報領域TER_INF は、当該運転手の電話番号情報などが含まれる領域であり、携帯用端末機がなく画像入力部110 が直接的に保安システム170 などに接続できない場合には、当該画像入力部110 のシリアル番号などが含まれる領域である。これを通じて保安システム170 、移動通信システム160 などで当該運転手の身元を把握できる。
【０１００】
そして、当該画像入力装置100 は、運転手によって制御され得る。しかし、場合に応じて当該運転手が画像入力装置100 を制御できない場合には、他の人が遠隔地で当該画像入力装置100 を制御することができる。
【０１０１】
画像入力部110 を制御できるように、遠隔制御権限情報が含まれる領域が制御情報領域CON_INF である。したがって、制御情報領域CON_INF 内に含まれる情報は、「ＯＦＦ」である。
【０１０２】
遠隔制御権限を附与する方法は、電源制御部を利用した入力信号をもう一度入力するようにするか、遠隔制御許可ボタンを選択する方法などを適用できる。
そして、制御情報領域CON_INF には、入力方向、角度、画像入力部110 の画像拡大率等を示す情報も含まれる。
【０１０３】
そして、画像データ領域IMA_DAT と、音声データ領域SND_DAT とは、危急状況の画像データと音声データとをそれぞれ提供するための領域であり、位置情報領域LOC_DAT は、現在運転手の位置情報が含まれる領域である。
【０１０４】
もし、画像入力装置100 を介して入力された情報が移動通信システムを通して保安システムに伝送される場合には、当該運転者の位置を移動通信システムで感知するように構成できるので、この場合には位置情報領域LOC_DAT は、省略できる。
【０１０５】
また図10A を参照すると、システムが画像入力部110 を制御可能な場合には、段階1040に進行する。
段階1040で保安システム170 は、保安要員から画像入力部110 の角度を変更するための画像角度変更命令が入力されたか否かを判断する。
【０１０６】
段階1040で、画像角度変更命令が入力された場合には、段階1045に進行して保安システム170 は入力された画像角度変更命令を画像入力装置100 に伝送し、そうでない場合には、保安システム170 は段階1025に進行する。
【０１０７】
段階1055で画像入力装置100 は、画像角度変更命令を受信し、画像入力部110 の角度を変更し、再び段階1025から段階を処理する。
保安システム170 の遠隔制御権限を解除するため、次のような多様な方法を適用できる。
【０１０８】
まず、運転手が遠隔制御権限を解除するための解除命令を入力することによって、遠隔制御権限が解除される方法に、例えば、電源制御部を利用した入力信号をもう一度入力するか、或いは別途に設置された遠隔制御許可ボタンを選択する方法がある。
【０１０９】
前記の方法は便利ではあるが、侵入者によっても容易に保安システムの遠隔制御権限が解除できるため、運転手の安全を保障できない問題点が生じる。
これを補完するため、次のような他の方法を適用できる。
【０１１０】
第1 に、運転手により解除命令及びパスワードが入力される方法である。当該パスワードが正しい場合には、遠隔制御権限を解除し、そうでない場合には、遠隔制御権限を維持する方法である。
【０１１１】
第2 に、運転手により解除命令が入力された場合に、保安システム170 を管理する保安要員が画像データなどを通して現在状況を把握した後、保安要員により遠隔制御権限を解除する方法である。
【０１１２】
第3 に、解除命令を入力するためのボタンを二つに構成した後、一つを本当の解除命令ボタンとし、他方は偽の解除命令ボタンに構成する方法である。例えば、侵入者の威嚇により運転手が偽の解除ボタンを選択した場合に、外形的には遠隔制御権限及び保安機能が終了したと見えるが、実際には、状況の画像データなどを保安システム170 に続けて伝送する方法がある。
【０１１３】
運転手は、画像入力装置100 を利用して保安システム170 内に格納された画像データを削除するための削除命令も入力できる。
【産業上の利用可能性】
【０１１４】
本発明の通信網を利用した危急状況通知システム及び方法によると、危険人物と直接対面している状況や警報ボタンの操作が困難な状況でも防犯センターに迅速な助けを要請できる。
【０１１５】
また、本発明の通信網を利用した危急状況通知システム及び方法によると、移動中に危険にさらされた場合にも、現在の危険状況を迅速に防犯センターに知らせて助けを要請できる。
【０１１６】
また、本発明の通信網を利用した危急状況通知システム及び方法によると、外部から画像入力装置の画像入力方向を自在に制御でき、正確な危険状況判断が可能となる。
【図面の簡単な説明】
【０１１７】
【図１】本発明の通信網を利用した危急状況通知システムの概略構成を示す図面である。
【図２Ａ】本発明の危急状況通知システムの一例を示す図面である。
【図２Ｂ】本発明の危急状況通知システムの一例を示す図面である。
【図２Ｃ】本発明の危急状況通知システムの一例を示す図面である。
【図３Ａ】本発明の運転手の危険状況を通知する方法を示すフローチャートである。
【図３Ｂ】本発明の運転手の危険状況を通知する方法を示すフローチャートである。
【図３Ｃ】本発明の運転手の危険状況を通知する方法を示すフローチャートである。
【図３Ｄ】本発明の運転手の危険状況を通知する方法を示すフローチャートである。
【図３Ｅ】本発明の運転手の危険状況を通知する方法を示すフローチャートである。
【図４Ａ】本発明の状況情報表示画面を例示した図面である。
【図４Ｂ】本発明の状況情報表示画面を例示した図面である。
【図４Ｃ】本発明の状況情報表示画面を例示した図面である。
【図４Ｄ】本発明の状況情報表示画面を例示した図面である。
【図５】本発明の遠隔地で画像入力角度制御方法を示すフローチャートである。
【図６】本発明の遠隔地で画像入力角度制御のための画面表示の例示図である。
【図７】本発明他の実施形態に係る通信網を利用した危急状況通知システムの概略構成を示す図面である。
【図８】本発明の更なる実施形態に係る通信網を利用した危急状況通知システムの概略構成を示す図面である。
【図９】本発明の更なる実施形態に係る遠隔地で画像入力角度を制御する方法を示すフローチャートである。
【図１０Ａ】本発明の画像入力部制御権限授与方法を示すフローチャートである。
【図１０Ｂ】本発明の危急状況を知らせるために適用されるデータモデルである。
【符号の説明】
【０１１８】
100:画像入力装置
105:電源制御部
110:画像入力部
115:制御部
120:データ変換部  
125:送信部
130:受信部    
135:カメラ制御部
150:携帯用端末機
160:移動通信システム
170:保安システム  
175:保安サーバ
180:格納部    
810:GPS 衛星
820:GPS 受信機  
【図１】
2005509225.tif 000003
【図２Ａ】
2005509225.tif 000004
【図２Ｂ】
2005509225.tif 000005
【図２Ｃ】
2005509225.tif 000006
【図３Ａ】
2005509225.tif 000007
【図３Ｂ】
2005509225.tif 000008
【図３Ｃ】
2005509225.tif 000009
【図３Ｄ】
2005509225.tif 000010
【図３Ｅ】
2005509225.tif 000011
【図４Ａ】
2005509225.tif 000012
【図４Ｂ】
2005509225.tif 000013
【図４Ｃ】
2005509225.tif 000014
【図４Ｄ】
2005509225.tif 000015
【図５】
2005509225.tif 000016
【図６】
2005509225.tif 000017
【図７】
2005509225.tif 000018
【図８】
2005509225.tif 000019
【図９】
2005509225.tif 000020
【図１０Ａ】
2005509225.tif 000021
【図１０Ｂ】
2005509225.tif 000022
【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
使用者の画像入力要請に応答して、危険人物と周囲状況とを含む画像データを入力する段階と、
前記画像データをあらかじめ指定された画像変換方式に従って変換する段階と、
前記画像データを保安システムに伝送する段階と
を含むことを特徴とする通信網を利用した危急状況通知方法。
【請求項２】
前記画像データを保安システムに伝送する段階は、
前記画像データを有線通信網または近距離無線通信網を利用して携帯用端末機に伝送する段階を含み、
前記携帯用端末機が前記画像データを移動通信システムに伝送し、
前記携帯用端末機は、移動通信端末機、パーソナル・コンピュータ、及びPDA （パーソナル・デジタル・アシスタント）のうちのいずれか一つであることを特徴とする、請求項１に記載の方法。
【請求項３】
前記方法は、
使用者から画像入力部の画像入力の角度の変更のための画像角度変更命令が入力されたか否かを判断する段階と、
前記画像角度変更命令が入力された場合に、前記画像入力の角度を変更する段階と、
前記変更された角度に対応する画像データを入力する段階とをさらに含み、
前記画像角度変更命令は、携帯用端末機のキーボタンを利用して入力されることを特徴とする、請求項１に記載の方法。
【請求項４】
前記方法は、
前記保安システムまたは移動通信システムから画像入力の角度の変更のための画像角度変更命令が受信されたか否かを判断する段階と、
前記画像角度変更命令が受信された場合に、前記画像入力の角度を変更する段階と、
前記変更された角度に対応する画像データを入力する段階とをさらに含むことを特徴とする、請求項１に記載の方法。
【請求項５】
前記方法は、
使用者により音声データ入力要請が入力された場合に、危険人物の音声及び周囲の音を含む音声データを入力する段階と、
前記音声データをあらかじめ指定された音声変換方式に従って変換する段階と、
前記音声データを保安システムに伝送する段階と
をさらに含むことを特徴とする、請求項１に記載の方法。
【請求項６】
前記方法は、
前記保安システムまたは移動通信システムから音声データが受信されたか否かを判断する段階と、
前記音声データが受信された場合に、前記音声データを音声入出力部を介して出力する段階と
をさらに含むことを特徴とする、請求項１に記載の方法。
【請求項７】
前記方法は、
GPS 衛星から地理情報を受信する段階と、
前記地理情報を利用して現在位置を判断する段階と、
前記現在位置をあらかじめ指定された位置変換方法で位置データに変換する段階と、
前記位置データを前記保安システムに伝送する段階と
をさらに含むことを特徴とする、請求項１に記載の方法。
【請求項８】
使用者の画像データ入力要請に応答して、危険人物及び周囲状況を含む画像データを入力する段階と、
使用者から画像入力部の画像入力の角度を遠隔制御できる権限を附与する権限附与命令を入力する段階と、
前記画像データと前記権限附与命令をあらかじめ指定された変換方式に従って変換する段階と、
前記画像データと前記権限附与命令とを保安システムに伝送する段階と
を含むことを特徴とする通信網を利用した危急状況通知方法。
【請求項９】
使用者の携帯用端末機または画像入力装置から画像データを受信する段階と、
前記使用者に対応する使用者情報を検索する段階であって、前記使用者情報は前記使用者の電話番号、IPアドレスのうち少なくとも一つを含む検索段階と、
前記使用者の位置を把握する段階と、
前記位置をあらかじめ指定された位置変換方法により位置データに変換する段階と、
前記画像データと前記位置データを保安システムに伝送する段階と
を含むことを特徴とする通信網を利用した危急状況通知方法。
【請求項１０】
前記方法は、
前記携帯用端末機または前記画像入力装置から危険人物の音声を含む音声データを受信する段階と、
前記音声データを前記保安システムに伝送する段階と
をさらに含むことを特徴とする、請求項９に記載の方法。
【請求項１１】
危急状況に直面した使用者に助けを提供するための方法において、
移動通信システム、携帯用端末機、画像入力装置のうちの一つから危険人物の画像を含む画像データを受信する段階と、
前記画像データをあらかじめ指定された格納方法により格納部に格納する段階と、
前記画像データをスクリーンに表示する段階と、
前記危急状況を保安要員に通知する段階と
を含み、
前記画像データは、自動に格納されるか、又は保安要員の格納命令に応答して格納されること
を特徴とする方法。
【請求項１２】
前記方法は、
保安要員から、前記画像入力装置の画像入力の角度変更のための角度変更命令を入力する段階と、
前記角度変更命令を前記移動通信システム、前記携帯用端末機、及び前記画像入力装置のうちの一つに伝送する段階と
をさらに含むことを特徴とする、請求項１１に記載の方法。
【請求項１３】
前記角度変更命令を前記移動通信システム、前記携帯用端末機、及び前記画像入力装置のうちの一つに伝送する段階は、
前記移動通信システム、前記携帯用端末機、及び前記画像入力装置のうちの１つにより前記画像入力装置の画像入力の角度を遠隔制御できる権限を附与するための権限附与命令が受信されたか否かをあらかじめ判断することを備えることを特徴とする、請求項１２に記載の方法。
【請求項１４】
前記方法は、
前記移動通信システム、前記携帯用端末機、及び前記画像入力装置のうちの一つから位置データを受信する段階と、
前記位置データを利用して前記使用者の位置をスクリーンに表示する段階と
をさらに含み、
前記位置データが地図又はテキストで表示されることを特徴とする、請求項１１に記載の方法。
【請求項１５】
前記方法は、
前記移動通信システム、前記携帯用端末機、及び前記画像入力装置のうちの一つから危険人物の音声を含む音声データを受信する段階と、
前記音声データをあらかじめ指定された格納方法により格納部に格納する段階と
をさらに含むことを特徴とする、請求項１１に記載の方法。
【請求項１６】
前記方法は、
保安要員から危急状況解決のための警告音声を入力する段階と、
前記警告音声をあらかじめ指定された音声変換方法により警告音声データに変換する段階と、
前記警告音声データを前記移動通信システム、前記携帯用端末機、及び前記画像入力装置のうちの一つに伝送する段階と
をさらに含むことを特徴とする、請求項１１に記載の方法。
【請求項１７】
使用者の画像入力要請に応答して、危険人物及び周囲状況を含む画像データを入力する手段と、
前記画像データをあらかじめ指定された画像変換方式に従って変換する手段と、
前記画像データを保安システムに伝送する手段と
を含み、
前記画像データの入力を使用者が車両内で、足で制御することを特徴とする通信網を利用した危急状況通知システム。
【請求項１８】
前記システムは、
前記使用者から画像入力部の画像入力の角度の変更のための画像角度変更命令が入力されたか否かを判断する手段と、
前記画像角度変更命令が入力された場合に、前記画像入力の角度を変更する手段と
をさらに含むことを特徴とする、請求項１７に記載のシステム。
【請求項１９】
前記システムは、
前記保安システムまたは移動通信システムから画像入力の角度の変更のための画像角度変更命令が受信されたか否かを判断する手段と、
前記画像角度変更命令が受信された場合に、前記画像入力の角度を変更する手段と
をさらに含むことを特徴とする、請求項１７に記載のシステム。
【請求項２０】
前記システムは、
前記使用者により音声データ入力要請が入力された場合に、危険人物の音声及び周囲の音を含む音声データを入力する手段と、
前記音声データをあらかじめ指定された音声変換方式に従って変換する手段と、
前記音声データを介して保安システムに伝送する手段と
をさらに含むことを特徴とする、請求項１７に記載のシステム。
【請求項２１】
前記システムは、
前記保安システムまたは移動通信システムから音声データが受信されたか否かを判断する手段と、
前記音声データが受信された場合に、前記音声データを音声入出力部を介して出力する手段と
をさらに含むことを特徴とする、請求項１７に記載のシステム。
【請求項２２】
前記システムは、
GPS 衛星から地理情報を受信する手段と、
前記地理情報を利用して現在位置を判断する手段と、
前記現在位置をあらかじめ指定された位置変換方法で位置データに変換する手段と、
前記位置データを前記保安システムに伝送する手段と
をさらに含むことを特徴とする、請求項１７に記載のシステム。
【請求項２３】
使用者の画像データ入力要請に応答して、危険人物及び周囲状況を含む画像データを入力する手段と、
前記使用者から画像入力部の画像入力の角度に対する遠隔制御権限を附与するための権限附与命令を入力する手段と、
前記画像データと前記権限附与命令をあらかじめ指定された変換方式に従って変換する手段と、
前記画像データと前記権限附与命令を保安システムに伝送する手段と
を含むことを特徴とする通信網を利用した危急状況通知システム。
【請求項２４】
使用者の携帯用端末機または画像入力装置から画像データを受信する手段と、
前記使用者に対応する使用者情報を検索する手段であって、前記使用者情報は電話番号、IPアドレスのうち少なくともいずれか一つを含む検索手段と、
前記使用者の位置を把握する手段と、
前記位置をあらかじめ指定された位置変換方法により位置データに変換する手段と、
前記画像データと前記位置データを保安システムに伝送する手段と
を含むことを特徴とする通信網を利用した危急状況通知システム。
【請求項２５】
前記システムは、
前記携帯用端末機または前記画像入力装置から危険人物の音声を含む音声データを受信する手段と、
前記音声データを前記保安システムに伝送する手段と
をさらに含むことを特徴とする、請求項２４に記載のシステム。
【請求項２６】
危急状況に直面した使用者に助けを提供するためのシステムにおいて、
移動通信システム、携帯用端末機、及び画像入力装置のうちの一つから危険人物を含む画像データを受信する手段と、
前記画像データをあらかじめ指定された格納方法により格納部に格納する手段と、
前記画像データをスクリーンに表示する手段と、
危急状況情報を保安要員に通知する手段と
を含むことを特徴とするシステム。
【請求項２７】
前記システムは、
前記画像入力装置の画像入力の角度変更のための角度変更命令を保安要員から入力する手段と、
前記角度変更命令を前記移動通信システム、前記携帯用端末機、及び前記画像入力装置のうちの一つに伝送する手段と
をさらに含むことを特徴とする、請求項２６に記載のシステム。
【請求項２８】
前記システムは、
前記移動通信システム、前記携帯用端末機、及び前記画像入力装置のうちの一つから位置データを受信する手段と、
前記位置データを利用して前記使用者の位置を前記スクリーンに表示する手段と
をさらに含むことを特徴とする、請求項２６に記載のシステム。
【請求項２９】
前記システムは、
前記移動通信システム、前記携帯用端末機、及び前記画像入力装置のうちの一つから危険人物の音声を含む音声データを受信する手段と、
前記音声データをあらかじめ指定された格納方法により格納部に格納する手段と
をさらに含むことを特徴とする、請求項２６に記載のシステム。
【請求項３０】
前記システムは、
保安要員から危急状況解決のための警告音声を入力する手段と、
前記警告音声をあらかじめ指定された音声変換方法により警告音声データに変換する手段と、
前記警告音声データを前記移動通信システム、前記携帯用端末機、前記画像入力装置のうちの一つに伝送する手段と
をさらに含むことを特徴とする、請求項２６に記載のシステム。
【請求項３１】
通信網を利用した危急状況通知システムであって、システムは、
記憶装置と、
前記記憶装置に接続されたプロセッサとを含み、
前記記憶装置は、前記プロセッサを制御するプログラムを格納し、
前記プロセッサは、前記プログラムにより、請求項１１ないし請求項１６のいずれか一項に記載された方法を実行することを特徴とするシステム。
【請求項３２】
請求項１ないし請求項８のいずれか一項に記載された方法を行うために、コンピュータ実行可能な命令が格納され、デジタル処理装置により実行可能な命令プログラムにより具体的に実現された、コンピュータ読み取り可能な媒体。
【請求項３３】
請求項１１ないし請求項１６のいずれか一項に記載された方法を行うために、コンピュータ実行可能な命令が格納され、デジタル処理装置により実行可能な命令プログラムにより具体的に実現された、コンピュータ読み取り可能な媒体。
【手続補正２】
【補正対象書類名】明細書
【補正対象項目名】０００９
【補正方法】変更
【補正の内容】
【０００９】
前記目的を達成するため、本発明の一実施形態によると、使用者の画像入力要請に応答して、危険人物及び周囲状況を含む画像データを入力する段階と、前記画像データをあらかじめ指定された画像変換方式に従って変換する段階と、前記画像データを保安システムに伝送する段階とを含むことを特徴とする方法が提供される。
【手続補正３】
【補正対象書類名】明細書
【補正対象項目名】００１１
【補正方法】変更
【補正の内容】
【００１１】
前記方法は、使用者から画像入力部の画像入力の角度の変更のための画像角度変更命令が入力されたか否かを判断する段階と、前記画像角度変更命令が入力された場合に、前記画像入力の角度を変更する段階と、前記変更された角度に対応する画像データを入力する段階をさらに含むことができる。そして、前記画像角度変更命令は、携帯用端末機のキーボタンを利用して入力することができる。
【手続補正４】
【補正対象書類名】明細書
【補正対象項目名】００１２
【補正方法】変更
【補正の内容】
【００１２】
前記方法は、前記保安システムまたは移動通信システムから前記画像入力の角度の変更のための画像角度変更命令が受信されたか否かを判断する段階と、前記画像角度変更命令が受信された場合に、前記画像入力の角度を変更する段階と、前記変更された角度に対応する画像データを入力する段階とをさらに含むことができる。
【手続補正５】
【補正対象書類名】明細書
【補正対象項目名】００１３
【補正方法】変更
【補正の内容】
【００１３】
本発明のシステムは、使用者により音声データ入力要請が入力された場合に、危険人物の音声及び周囲の音を含む音声データを入力し、前記音声データをあらかじめ指定された音声変換方式に従って変換し、前記音声データを保安システムに伝送する。
【手続補正６】
【補正対象書類名】明細書
【補正対象項目名】００１６
【補正方法】変更
【補正の内容】
【００１６】
また、本発明の目的を達成するために、本発明の別の好ましい実施形態によると、使用者の画像入力要請に応答して、危険人物及び周囲状況を含む画像データを入力する段階と、使用者から画像入力部の画像入力の角度に対する遠隔制御権限を附与するための権限附与命令を入力する段階と、前記画像データと前記権限附与命令をあらかじめ指定された変換方式に従って変換する段階と、前記画像データと前記権限附与命令を保安システムに伝送する段階とを含むことを特徴とする方法が提供される。
【手続補正７】
【補正対象書類名】明細書
【補正対象項目名】００１８
【補正方法】変更
【補正の内容】
【００１８】
前記方法は、前記携帯用端末機または前記画像入力装置から危険人物の音声を含む音声データを受信する段階と、前記音声データを前記保安システムに伝送する段階とをさらに含むことができる。
【手続補正８】
【補正対象書類名】明細書
【補正対象項目名】００１９
【補正方法】変更
【補正の内容】
【００１９】
また、本発明の目的を達成するために、本発明の好ましいもう一つの実施形態によると、移動通信システム、携帯用端末機、及び画像入力装置のうちの一つから危険人物を含む画像データを受信する段階と、前記画像データをあらかじめ指定された格納方法( 受信する画像データを自動に格納されるようにするか、保安要員の格納命令に応答して格納するようにする) によって格納部に格納する段階と、前記画像データをスクリーンに表示する段階とを含む方法が提供される。
【手続補正９】
【補正対象書類名】明細書
【補正対象項目名】００２０
【補正方法】変更
【補正の内容】
【００２０】
前記方法は、保安要員から画像入力装置の画像入力の角度変更のための角度変更命令を入力する段階と、前記角度変更命令を移動通信システム、携帯用端末機、画像入力装置のうちの一つに伝送する段階をさらに含むことができる。
【手続補正１０】
【補正対象書類名】明細書
【補正対象項目名】００２１
【補正方法】変更
【補正の内容】
【００２１】
前記角度変更命令を前記移動通信システム、前記携帯用端末機、及び前記画像入力装置のうちの一つに伝送する段階は、前記移動通信システム、前記携帯用端末機、前記画像入力装置のうちの一つにより、画像入力部の画像入力の角度に対する遠隔制御権限を附与するための権限附与命令を受信されたか否かをあらかじめ判断することを含む。
【手続補正１１】
【補正対象書類名】明細書
【補正対象項目名】００２３
【補正方法】変更
【補正の内容】
【００２３】
前記方法は、移動通信システム、携帯用端末機、及び画像入力装置のうちの一つから危険人物の音声を含む音声データを受信する段階と、前記音声データをあらかじめ指定された格納方法によって格納部に格納する段階をさらに含むことができる。
【国際調査報告】
2005509225.tif 000023